Podtech/llm-jp-corpus-v4-ja_patent huggingface dataset:
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
式(Ｉ)
【化１】
2019520328.tif 000001
(式中、ｘは、１〜８の整数であり、ＲはＣ１−Ｃ６アルキル基である)
の化合物またはその医薬的に許容され得る塩。
【請求項２】
式(ＩＩ)
【化２】
2019520328.tif 000002
(式中、ｘは、１〜８の整数であり、Ｒは、Ｃ１−Ｃ６アルキル基である)
である、請求項１記載の化合物またはその医薬的に許容され得る塩。
【請求項３】
式(ＩＩＩ)
【化３】
2019520328.tif 000003
である、請求項１記載の化合物またはその医薬的に許容され得る塩。
【請求項４】
式(ＩＶ)
【化４】
2019520328.tif 000004
(式中、ｘは、１〜８の整数であり、ＲがＣ１−Ｃ６アルキル基である)
の化合物またはその医薬的に許容され得る塩。
【請求項５】
式(Ｖ)
【化５】
2019520328.tif 000005
である、請求項４記載の化合物またはその医薬的に許容され得る塩。
【請求項６】
請求項１〜５いずれか一項記載の化合物の画像を得るための、請求項１〜５いずれか一項記載の化合物を含む医薬組成物であって、該画像が、以下の工程：
ａ)該医薬組成物を対象に投与する工程；
ｂ)インビボでの該化合物の分布を、陽電子放出断層撮影(ＰＥＴ)スキャンによりイメージングを行なう工程、
により得られる、医薬組成物。
【請求項７】
画像化された請求項１〜５いずれか一項記載の化合物の分布が、疾患の存在または非存在の指標である、請求項６記載の医薬組成物。
【請求項８】
対象における疾患の進行をモニタリングするための、請求項１〜５いずれか一項記載の化合物を含む医薬組成物であって、該モニタリングが、以下の工程：
(ａ)最初の時点で、疾患の存在に関係する標的分子に結合する該化合物を含む医薬組成物を、モニタリングが必要な患者に投与して、疾患細胞または組織の量を決定するために、対象の少なくとも１部分の画像を得る工程；および
(ｂ)その後の１以上の時点で、対象に該医薬組成物を投与して、各時点での対象の少なくとも１部分の画像を得る工程；ここで、各時点での該疾患細胞または組織の体積および位置は疾患の進行の指標である、
により行われる、医薬組成物。
【請求項９】
対象における疾患細胞または組織を定量するための、請求項１〜５いずれか一項記載の化合物を含む医薬組成物であって、該定量が、以下の工程：
(ａ)疾患細胞または組織を有する対象に、該疾患細胞または組織に位置する標的分子に結合する該化合物を含む医薬組成物を投与する工程；および
(ｂ)該疾患細胞または組織において、１８Ｆの放射性放射を検出する工程；ここで、該疾患細胞または組織の放射性放射の量および分布は、疾患細胞または組織の定量的な測定基準である、
により行われる、医薬組成物。
【請求項１０】
疾患が、固形癌、造血器悪性腫瘍、血液癌、自己免疫性疾患、神経変性疾患、循環器疾患および病原性感染からなる群から選択される、請求項９記載の医薬組成物。
【請求項１１】
ＰＤ−Ｌ１を発現している組織または細胞の定量画像を得るための、請求項１〜５いずれか一項記載の化合物を含む医薬組成物であって、該定量画像が、以下の工程：
細胞または組織に、ＰＤ−Ｌ１に結合する該化合物を接触させる工程；および
陽電子放出断層撮影(ＰＥＴ)を用いて、ＰＤ−Ｌ１が発現している組織を検出または定量する工程、
により得られる、医薬組成物。
【請求項１２】
疾患を治療する薬剤をスクリーニングするための、請求項１〜５いずれか一項記載の化合物を含む医薬組成物であって、該スクリーニングが、以下の工程：
(ａ)ＰＤ−Ｌ１を発現する細胞を、候補薬剤の存在および非存在下において、ＰＤ−Ｌ１に結合する該化合物と接触させる工程；および
(ｂ)該候補薬剤の存在および非存在下において、陽電子放出断層撮影(ＰＥＴ)を用いて、該細胞のイメージングを行なう工程；ここで、該候補薬剤の存在下における放射性放射の量の減少は、該候補薬剤がＰＤ−Ｌ１に結合しているという指標であること、
を特徴とする、医薬組成物。
【請求項１３】
請求項１〜５いずれか一項記載の化合物を含む、医薬組成物。
【請求項１４】
請求項１〜５いずれか一項記載の化合物を製造するための反応前駆体、および該化合物を製造するための説明書を含む、キット。
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
ｉ）固体マトリックス中に分散された、少なくとも１５℃〜３５℃で油として存在する活性医薬成分を含有する粉末であって、前記固体マトリックスが、セルロースナノ結晶、少なくとも１種のセルロース誘導体、任意選択的に多価金属カチオンの薬学的に許容される塩を含有する粉末と；
ｉｉ）１種又は複数種の薬学的に許容される賦形剤と、
を含む固体医薬組成物。
【請求項２】
ｉ）エマルジョンを噴霧乾燥することによって形成される粉末であって、前記エマルジョンが、少なくとも１種のセルロース誘導体、水、セルロースナノ結晶、少なくとも１５℃〜３５℃で油として存在する活性医薬成分、及び任意選択的に多価金属カチオンの薬学的に許容される塩を含有する粉末と；
ｉｉ）１種又は複数種の薬学的に許容される賦形剤と、
を含む固体医薬組成物。
【請求項３】
ｉ）エマルジョンを噴霧乾燥することによって形成される粉末であって、前記エマルジョンが、下記ステップ：
ａ）少なくとも１種のセルロース誘導体を水に溶解させるステップ；
ｂ）得られた溶液中に、セルロースナノ結晶を分散させるステップ；
ｃ）任意選択で、多価金属カチオンの薬学的に許容される塩を添加するステップ；
ｄ）少なくとも１５℃〜３５℃で油状である活性医薬成分を添加するステップ；及び
ｅ）得られた混合物を乳化するステップ
により形成される粉末と；
ｉｉ）１種又は複数種の薬学的に許容される賦形剤と、
を含む固体医薬組成物。
【請求項４】
セルロース誘導体が、ＨＰＭＣ、ＨＥＣ、ＣＭＣ、及びＥＨＥＣより選択されるか、又はこれらのいずれかの混合物である、請求項１〜３のいずれか１項に記載の医薬組成物。
【請求項５】
セルロース誘導体が、ＨＰＭＣである、請求項４に記載の医薬組成物。
【請求項６】
多価金属カチオンの薬学的に許容される塩が、可溶性の薬学的に許容されるカルシウム塩である、請求項１〜５のいずれか１項に記載の医薬組成物。
【請求項７】
多価金属カチオンの薬学的に許容される塩が、塩化カルシウムである、請求項１〜６のいずれか１項に記載の医薬組成物。
【請求項８】
活性成分が、少なくとも１種の多価不飽和脂肪酸を含む、請求項１〜７のいずれか１項に記載の医薬組成物。
【請求項９】
活性成分が、少なくとも１種のオメガ３多価不飽和脂肪酸を含む、請求項８に記載の医薬組成物。
【請求項１０】
活性成分が、ＥＰＡ及び／又はＤＨＡを含む、請求項８に記載の医薬組成物。
【請求項１１】
活性成分が、ダイズ油又はオレイン酸を含む、請求項８に記載の医薬組成物。
【請求項１２】
粉末が、約７０ｗｔ％〜約９０ｗｔ％の活性成分を含む、請求項１〜１１のいずれか１項に記載の医薬組成物。
【請求項１３】
賦形剤が、２：１の比でマンニトールと微結晶性セルロースを含む、請求項１〜１２のいずれか１項に記載の医薬組成物。
【請求項１４】
請求項１〜１３のいずれか１項に記載の組成物を含む固体剤形。
【請求項１５】
錠剤である、請求項１４に記載の固体剤形。
【請求項１６】
２０〜６０ｗｔ％の活性成分を含む、請求項１４又は１５に記載の固体剤形。
【請求項１７】
多価金属カチオンの薬学的に許容される塩が、エマルジョン中に２〜５ｍＭの濃度で存在する、請求項２又は３に記載の組成物。
【請求項１８】
セルロース誘導体が、エマルジョン中に２〜４ｗｔ％の濃度で存在する、請求項１〜１３のいずれか１項に記載の組成物。
【請求項１９】
セルロースナノ結晶が、エマルジョン中に０．５〜１ｗｔ％の濃度で存在する、請求項１〜１３のいずれか１項に記載の組成物。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
対象におけるシスチン尿症の治療または予防における使用ための組成物であって、
天然霊長類シスタチオニン−γ−リアーゼ（ＣＧＬ）のアミノ酸配列（配列番号：１及び７〜１０を参照）と比較して、前記天然霊長類ＣＧＬ配列の５９位のスレオニン及び３３９位のバリンを含む少なくとも２つの置換を有する、単離された改変霊長類ＣＧＬ酵素、または
前記単離された改変霊長類シスタチオニン−γ−リアーゼ（ＣＧＬ）酵素をコードするヌクレオチド配列を含む核酸
を含む、前記組成物。
【請求項２】
前記酵素が、異種ペプチドセグメントを更に含む、請求項１に記載の組成物。
【請求項３】
前記異種ペプチドセグメントが、ＸＴＥＮペプチド、ＩｇＧ  Ｆｃ、アルブミン、またはアルブミン結合ペプチドである、請求項２に記載の組成物。
【請求項４】
前記酵素が、ポリエチレングリコール（ＰＥＧ）に結合している、請求項１に記載の組成物。
【請求項５】
前記酵素が、１つ以上のリジンまたはシスチン残基を介してＰＥＧに結合している、請求項４に記載の組成物。
【請求項６】
前記対象が、Ｌ−シスチン及び／またはＬ−システインを制限した食事に維持される、請求項１に記載の組成物。
【請求項７】
前記対象が、メチオニンを制限した食事に維持される、請求項１に記載の組成物。
【請求項８】
前記対象が、通常の食事に維持される、請求項１に記載の組成物。
【請求項９】
前記対象がヒト患者である、請求項１に記載の組成物。
【請求項１０】
前記対象が齧歯類である、請求項１に記載の組成物。
【請求項１１】
前記組成物が、静脈内投与、皮内投与、動脈内投与、腹腔内投与、病巣内投与、頭蓋内投与、関節内投与、前立腺内投与、胸膜内投与、気管内投与、眼内投与、鼻腔内投与、硝子体内投与、腟内投与、直腸内投与、筋肉内投与、皮下投与、結膜下投与、小胞内投与、粘膜投与、心膜内投与、臍帯内投与、経口投与、吸入、注射、注入、連続注入、標的細胞を直接浸漬する局所潅流、カテーテルを介した投与、または洗浄を介した投与のために製剤化されている、請求項１に記載の組成物。
【請求項１２】
前記対象が以前にシスチン尿症の治療を受けており、シスチン尿症の再発を予防するために前記酵素が投与される、請求項１に記載の組成物。
【請求項１３】
少なくとも第２のシスチン尿症療法を更に含む、請求項１に記載の組成物。
【請求項１４】
シスチン尿症の治療または予防のための医薬の製造における、天然霊長類シスタチオニン−γ−リアーゼ（ＣＧＬ）のアミノ酸配列（配列番号：１及び７〜１０を参照）と比較して、前記天然霊長類ＣＧＬ配列の５９位のスレオニン及び３３９位のバリンを含む少なくとも２つの置換を有する、単離された改変霊長類ＣＧＬ酵素、または前記単離された改変霊長類シスタチオニン−γ−リアーゼ（ＣＧＬ）酵素をコードするヌクレオチド配列を含む核酸の使用。
【誤訳訂正書】
【提出日】令和2年10月6日(2020.10.6)
【誤訳訂正１】
【訂正対象書類名】明細書
【訂正対象項目名】００１６
【訂正方法】変更
【訂正の内容】
【００１６】
本発明における使用に好適な空隙を有するラテックス粒子はまた、少なくとも１つのシェルポリマーを含む。少なくとも１つのシェルポリマー（複数可）は、非イオン性エチレン性不飽和モノマーおよびポリエチレン性不飽和モノマーから誘導された重合単位を含む。ある特定の実施形態では、少なくとも１つのシェルポリマーは、任意に、少なくとも１つのカルボン酸基を含むモノエチレン性不飽和モノマーおよび少なくとも１つの「非カルボン酸」酸基を含むモノエチレン性不飽和モノマーのうちの少なくとも１つから誘導された重合単位を含む。ある特定の実施形態では、空隙を有するラテックス粒子のシェル部分は、単一段階で、好ましくは２段階で、およびより好ましくは少なくとも３段階で重合される。本明細書で使用される場合、「最も外側のシェル」という用語は、空隙を有するラテックス粒子を調製するために使用される最終の異なる重合段階の組成物を指す。最も外側のシェルが多段階重合プロセスによって提供されるある特定の実施形態では、最も外側のシェルは、空隙を有するラテックス粒子の全シェル部分の少なくとも２５重量％、好ましくは少なくとも３５重量％、およびより好ましくは少なくとも４５重量％を含む。
【誤訳訂正２】
【訂正対象書類名】明細書
【訂正対象項目名】００２０
【訂正方法】変更
【訂正の内容】
【００２０】
シェルポリマー（複数）についての少なくとも１つの「非カルボン酸」酸基を含有する好適なモノエチレン性不飽和モノマーとしては、例えば、アリルスルホン酸、アリルホスホン酸、アリルオキシベンゼンスルホン酸、２−アクリルアミド−２−メチルプロパンスルホン酸（このモノマーについてａｃｒｙｏｎｙｍ「ＡＭＰＳ」はＬｕｂｒｉｚｏｌ  Ｃｏｒｐｏｒａｔｉｏｎ（Ｗｉｃｋｌｉｆｆｅ、Ｏｈｉｏ、ＵＳＡ）の商標である）、２−ヒドロキシ−３−（２−プロペニルオキシ）プロパンスルホン酸、２−メチル−２−プロペン−１−スルホン酸、２−メタクリルアミド−２−メチル−１−プロパンスルホン酸、３−メタクリルアミド−２−ヒドロキシ−１−プロパンスルホン酸、３−スルホプロピルアクリレート、３−スルホプロピルメタクリレート、イソプロペニルホスホン酸、ビニルホスホン酸、ホスホエチルメタクリレート、スチレンスルホン酸、ビニルスルホン酸、ならびにそのアルカリ金属およびアンモニウム塩が挙げられる。ある特定の好ましい実施形態では、少なくとも１つの「非カルボン酸」酸基を含有するモノエチレン性不飽和モノマーは、２−アクリルアミド−２−メチルプロパンスルホン酸、スチレンスルホン酸、およびスチレンスルホン酸ナトリウムから選択される。ある特定の実施形態では、シェルポリマー（複数可）は、少なくとも１つの「非カルボン酸」酸基を含有するモノエチレン性不飽和モノマーの重合単位を、シェルポリマー（複数可）の総重量に基づいて、０．１〜１０重量％、好ましくは０．５〜７．５重量％、およびより好ましくは１〜５重量％の量で含む。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
（ａ）黒鉛及び酸を含む第１の溶液を第１の温度に冷却することと、
（ｂ）前記第１の溶液に第１の酸化剤を添加して第２の溶液を形成することと、
（ｃ）前記第２の溶液を撹拌することと、
（ｄ）前記第２の溶液を第２の温度にクエンチすることと、
（ｅ）前記第２の溶液を精製して炭素系酸化物材料を形成することと
を含む、炭素系酸化物材料の製造方法であって、
前記黒鉛のイオン導電率が約１μＳ／ｃｍ〜約１００μＳ／ｃｍである、上記方法。
【請求項２】
前記黒鉛の重量基準の炭素含有率が約１％〜約１００％である、請求項１に記載の方法。
【請求項３】
前記黒鉛のメッシュサイズが約３０〜５０である、請求項１に記載の方法。
【請求項４】
前記酸の質量が前記黒鉛の質量よりも約３０倍〜約１８０倍大きい、請求項１に記載の方法。
【請求項５】
前記酸の濃度が約９０％〜約９９％である、請求項１に記載の方法。
【請求項６】
前記第１の酸化剤の質量が前記黒鉛の質量よりも約１．５倍〜約１２倍大きい、請求項１に記載の方法。
【請求項７】
前記第１の酸化剤の添加中の前記第２の溶液の温度が３０℃よりも低い、請求項１に記載の方法。
【請求項８】
前記第１の溶液に前記第１の酸化剤を添加して前記第２の溶液を形成することと、前記第２の溶液を撹拌することとが同時に行われる、請求項１に記載の方法。
【請求項９】
前記第２の溶液を撹拌することが約２５ｒｐｍ〜約５０ｒｐｍの撹拌速度で行われる、請求項１に記載の方法。
【請求項１０】
前記第２の溶液を撹拌した後に、前記第２の溶液の反応温度を第１の期間にわたって第３の温度に上昇させることを更に含む、請求項１に記載の方法。
【請求項１１】
前記第３の温度が約１５℃〜約６０℃である、請求項１０に記載の方法。
【請求項１２】
前記第２の溶液をクエンチすることが前記第２の溶液を氷上に注ぐことを含む、請求項１に記載の方法。
【請求項１３】
前記氷の質量が前記黒鉛の質量よりも約３５〜約２５０倍大きい、請求項１２に記載の方法。
【請求項１４】
前記第２の溶液及び前記氷に第２の酸化剤を添加することを更に含む、請求項１２に記載の方法。
【請求項１５】
前記第２の酸化剤の質量が前記黒鉛の質量よりも約１．５倍〜約６倍大きい、請求項１４に記載の方法。
【請求項１６】
前記第２の溶液を精製することが、
（ａ）第１のフィルタを通して前記炭素系酸化物材料をろ過することと、
（ｂ）前記炭素系酸化物材料を濃縮することと
を含む、請求項１に記載の方法。
【請求項１７】
前記第１のフィルタの細孔径が約０．０１ミクロン〜約０．０５ミクロンである、請求項１６に記載の方法。
【請求項１８】
前記炭素系酸化物材料が、そのｐＨが約３〜約７になるまでろ過される、請求項１６に記載の方法。
【請求項１９】
前記炭素系酸化物材料を濃縮することが約０．２５％〜約３％の重量基準の黒鉛濃度を達成する、請求項１６に記載の方法。
【請求項２０】
（ａ）前記炭素系酸化物材料を第３の温度に加熱することと、
（ｂ）前記炭素系酸化物材料に第１の量の第３の酸化剤を添加することと、
（ｃ）前記炭素系酸化物材料に第２の量の前記第３の酸化剤を添加しながら、前記炭素系酸化物材料を第４の温度に加熱することと、
（ｄ）前記第３の酸化剤に前記炭素系酸化物材料にアスコルビン酸無機塩を添加して第３の溶液を形成することと、
（ｅ）前記第３の溶液を撹拌することと、
（ｆ）前記第３の溶液を精製して、還元型炭素系酸化物材料を形成することと
を更に含む、請求項１に記載の方法。
【請求項２１】
前記炭素系酸化物材料を前記第３の温度に加熱することと、前記炭素系酸化物材料に前記第１の量の前記第３の酸化剤を添加することとが同時に行われる、請求項２０に記載の方法。
【請求項２２】
前記第３の温度が約４５℃〜約１８０℃である、請求項２０に記載の方法。
【請求項２３】
前記第３の酸化剤の濃度が約１５％〜約６０％である、請求項２０に記載の方法。
【請求項２４】
前記第２の量の前記第３の酸化剤の質量が前記黒鉛の質量よりも約１．１〜約３倍大きい、請求項２０に記載の方法。
【請求項２５】
前記アスコルビン酸無機塩の質量が前記黒鉛の質量よりも約２〜約１０倍大きい、請求項２０に記載の方法。
【請求項２６】
前記第３の溶液を精製して還元型炭素系酸化物材料を形成することが前記第３の溶液を第２のフィルタでろ過することを含む、請求項２０に記載の方法。
【請求項２７】
前記第３の溶液をろ過しながら、前記第３の溶液を水で洗い流すことを更に含む、請求項２６に記載の方法。
【請求項２８】
前記第２のフィルタの細孔径が約０．５ミクロン〜約５ミクロンである、請求項２６に記載の方法。
【請求項２９】
前記還元型炭素系酸化物材料が、その導電率が約１Ｓ／ｍ〜約１０Ｓ／ｍになるまで精製される、請求項２６に記載の方法。
【請求項３０】
前記炭素系酸化物材料が単層を含む、請求項１に記載の方法。
【請求項３１】
前記炭素系酸化物材料が複数の層を含む、請求項１に記載の方法。
【請求項３２】
前記炭素系酸化物材料のイオン導電率が約５μＳ／ｃｍ〜約１００μＳ／ｃｍである、請求項１に記載の方法。
【請求項３３】
前記炭素系酸化物材料の純度が約８０％〜約９９．９９％である、請求項１に記載の方法。
【請求項３４】
前記炭素系酸化物材料の重量基準の炭素含有率が約１％〜約９９％である、請求項１に記載の方法。
【誤訳訂正書】
【提出日】令和2年3月2日(2020.3.2)
【誤訳訂正１】
【訂正対象書類名】明細書
【訂正対象項目名】００２６
【訂正方法】変更
【訂正の内容】
【００２６】
本発明の一実施形態において、前記製剤は、注射剤形、輸液剤形、噴霧剤形、液状剤形、またはパッチ剤形であることを特徴とする。
【誤訳訂正２】
【訂正対象書類名】特許請求の範囲
【訂正対象項目名】全文
【訂正方法】変更
【訂正の内容】
【特許請求の範囲】
【請求項１】
幹細胞に由来するエクソソーム（ｅｘｏｓｏｍｅ）を有効成分として含む、皮膚傷の予防または治療用薬学的組成物であって、
前記幹細胞はトロンビン処理された間葉系幹細胞である、
前記薬学的組成物。
【請求項２】
前記間葉系幹細胞は、臍帯、臍帯血、骨髄、脂肪、筋肉、神経、皮膚、羊膜、または胎盤に由来する、請求項１に記載の薬学的組成物。
【請求項３】
前記皮膚傷の治療は、血管内皮細胞成長促進による血管新生（ａｎｇｉｏｇｅｎｅｓｉｓ）による、請求項１に記載の薬学的組成物。
【請求項４】
前記薬学的組成物は、培養培地、サイトカイン、成長因子、および遺伝子よりなる群から選択される補助成分をさらに含む、請求項１に記載の薬学的組成物。
【請求項５】
前記エクソソームは、成長因子、免疫調節因子、抗酸化因子、または血管新生因子の発現が、トロンビン処理されていない幹細胞に由来するエクソソームと比べて増加している、請求項１に記載の薬学的組成物。
【請求項６】
前記成長因子は、脳由来神経栄養因子（ＢＤＮＦ；ｂｒａｉｎ−ｄｅｒｉｖｅｄ  ｎｅｕｒｏｔｒｏｐｈｉｃ  ｆａｃｔｏｒ）、線維芽細胞増殖因子（ＦＧＦ；ｆｉｂｒｏｂｌａｓｔ  ｇｒｏｗｔｈ  ｆａｃｔｏｒ）、肝細胞増殖因子（ＨＧＦ；ｈｅｐａｔｏｃｙｔｅ  ｇｒｏｗｔｈ  ｆａｃｔｏｒ）、神経成長因子（ＮＧＦ；ｎｅｒｖｅ  ｇｒｏｗｔｈ  ｆａｃｔｏｒ）、または血管内皮細胞増殖因子（ＶＥＧＦ；ｖａｓｃｕｌａｒ  ｅｎｄｏｔｈｅｌｉａｌ  ｇｒｏｗｔｈ  ｆａｃｔｏｒ）である、請求項５に記載の薬学的組成物。
【請求項７】
請求項１に記載の組成物を含有する、皮膚傷の予防または治療用薬学製剤。
【請求項８】
注射剤形、輸液剤形、噴霧剤形、液状剤形、またはパッチ剤形である、請求項７に記載の薬学製剤。
【請求項９】
幹細胞に由来するエクソソームを有効成分として含む、皮膚傷改善用医薬部外品製剤であって、
前記幹細胞はトロンビン処理された間葉系幹細胞である、
前記医薬部外品製剤。
【請求項１０】
前記皮膚傷の改善は、血管新生によるものである、請求項９に記載の医薬部外品製剤。
【請求項１１】
前記エクソソームは、成長因子、免疫調節因子、抗酸化因子、または血管新生因子の発現が、トロンビン処理されていない幹細胞に由来するエクソソームと比べて増加している、請求項９に記載の医薬部外品製剤。
【請求項１２】
前記医薬部外品製剤は、液剤、軟こう剤、クリーム剤、スプレー剤、パッチ剤、ゲル剤、およびエアロゾル剤よりなる群から選択される皮膚外用剤形態である、請求項９に記載の医薬部外品製剤。
【請求項１３】
（ａ）幹細胞の培養後に該幹細胞をトロンビン処理する段階；
（ｂ）前記段階（ａ）の培養液からエクソソームを分離する段階；および
（ｃ）前記段階（ｂ）で分離したエクソソームを有効成分として含有する組成物を製造する段階を含み、
前記幹細胞は間葉系幹細胞である、
請求項１に記載の薬学的組成物の製造方法。
【請求項１４】
前記段階（ａ）のトロンビンは、培地内に１〜１，０００ｕｎｉｔ／ｍｌの濃度で含まれる、請求項１３に記載の製造方法。
【請求項１５】
前記段階（ｂ）のエクソソームは、遠心分離を３，０００〜１００，０００ｇで１０分〜５時間行うことにより分離される、請求項１３に記載の製造方法。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
投与されたポリペプチドの血清濃度が、対象におけるＮＴＣＰ仲介の胆汁酸摂取の両方向制御を可能にするように、対象に投与するための量のポリペプチドを含み、ただし、上記ポリペプチドは、ＨＢＶから由来するアミノ酸配列を含む、それを必要とする対象における代謝疾患の治療または血清脂質レベルの低下または血グルコースの低下で使用するためのポリペプチドを含む薬学組成物。
【請求項２】
（ａ）対象に投与されたポリペプチドの血清濃度は、９３ｎｍｏｌ／Ｌ以下である場合に、上記ポリペプチドが、対象におけるＮＴＣＰ仲介の胆汁酸摂取を増強する、および／または（ｂ）対象に投与されたポリペプチドの血清濃度は、９３ｎｍｏｌ／Ｌより高い場合に、上記ポリペプチドが、対象におけるＮＴＣＰ仲介の胆汁酸摂取を阻害する、請求項１に記載の薬学組成物。
【請求項３】
対象におけるポリペプチドの血清濃度が、投与から約２０分間の時点に、ピーク濃度に至る；好ましくは上記ピーク濃度は、９３ｎｍｏｌ／Ｌを超える、請求項１または２に記載の薬学組成物。
【請求項４】
上記対象が、代謝疾患、心血管疾患（例えば、アテローム性動脈硬化疾患）、心臓病、腎臓障害を罹患する、或いは、代謝疾患、心血管疾患（例えば、アテローム性動脈硬化疾患）、心臓病、腎臓障害が進展するリスクを有する：好ましくは、上記代謝疾患は、脂質代謝の異常調節またはグルコース代謝の異常調節、例えばコレステロール関連病気であり：より好ましくは、上記対象は、糖尿病；高血糖；低血糖；高インスリン血症；高脂血症；高トリグリセリド血症；高コレステロール血症；心臓病；メタボリック・シンドローム；アテローム性動脈硬化症；冠状動脈性心臓病；冠動脈疾患；末梢動脈疾患；狭心症；脳血管疾患；急性冠症候群；心筋梗塞；卒中；循環器疾患；アルツハイマー病；脂質異常症；家族性複合型高脂血症；家族性高トリグリセリド血症；家族性高コレステロール血症；ヘテロ接合型高コレステロール血症；ホモ接合性高コレステロール血症；家族性欠陥アポリポタンパク質Ｂ−１００；多遺伝子性高コレステロール血症；レムナント除去病；肝性リパーゼ欠損症；食傷と、甲状腺機能低下症と、エストロゲンおよびプロゲスチン療法、β遮断薬、およびチアジド系利尿薬を含む薬による脂質異常症；ネフローゼ症候群；慢性腎不全；クッシング症候群；原発性胆汁性肝硬変；グリコーゲン蓄積症；肝細胞癌；胆汁うっ滞；先端巨大症；インスリノーマ；成長ホルモン単独欠損症；腎臓障害；肥満；およびアルコール誘発性高トリグリセリド血症から選ばれる、請求項１〜３のいずれか１項に記載の薬学組成物。
【請求項５】
上記ポリペプチドがナトリウム−タウロコール酸共輸送ポリペプチド（ＮＴＣＰ）と結合でき、好ましくは上記ポリペプチドはＨＢＶの遺伝子型Ａ、Ｂ、Ｃ、Ｄ、Ｅ、Ｆ、Ｇ、またはＨ（好ましくは遺伝子型Ｃ）のｐｒｅ−Ｓ１領域のアミノ酸配列を含み；より好ましくは、上記ポリペプチドはＨＢＶの遺伝子型Ｃのｐｒｅ−Ｓ１領域のアミノ酸配列１３−５９を含み；より好ましくは、上記ポリペプチドはＳＥＱ  ＩＤ  ＮＯ：２１−４０から選ばれたアミノ酸配列、または、ＳＥＱ  ＩＤ  ＮＯ：２１−４０から選ばれたアミノ酸配列と少なくとも約３０％、４０％、５０％、６０％、７０％、８０％、８５％、９０％、９５％、９６％、９７％、９８％、または９９％の同一性を有する、請求項１〜４のいずれか１項に記載の薬学組成物。
【請求項６】
上記ポリペプチドは、Ｎ−末端および／またはＣ−末端に、ＨＢＶのｐｒｅ−Ｓ１領域からの天然フランキングアミノ酸配列を含み、好ましくはＨＢＶのｐｒｅ−Ｓ１領域からの天然フランキングアミノ酸配列は１−１０、１−８、１−５、または１−３個アミノ酸の長さを有する、請求項５に記載の薬学組成物。
【請求項７】
上記ポリペプチドは、Ｎ−末端修飾に疎水基を有する、および／または、上記ポリペプチドを安定化できるＣ−末端修飾を含み；好ましくは、上記疎水基は、ミリスチン酸、パルミチン酸、ステアリン酸、オレイン酸、リノール酸、コレステロールおよびアラキドン酸から選ばれ、上記Ｃ−末端修飾は、アミド化（アミノ化）またはイソペンタンジオール化である、請求項５または６に記載の薬学組成物。
【請求項８】
上記ポリペプチドはＳＥＱ  ＩＤ  ＮＯ：２３を含み、ここにおいて上記ポリペプチドはさらにＮ−末端修飾にミリスチン酸およびＣ−末端修飾にアミノ化を有する；または、ここにおいて上記ポリペプチドはＳＥＱ  ＩＤ  ＮＯ：３を含む、請求項１に記載の薬学組成物。
【請求項９】
上記ポリペプチドは、ＮＴＣＰ仲介の肝細胞への胆汁酸の輸送を両方向制御できる、請求項１〜８のいずれか１項に記載の薬学組成物。
【請求項１０】
（ａ）肝細胞が、９３ｎｍｏｌ／Ｌ以下の上記ポリペプチドと接触する場合に、上記ポリペプチドは、ＮＴＣＰ仲介の肝細胞への胆汁酸の輸送を増強する、および／または（ｂ）肝細胞が、９３ｎｍｏｌ／Ｌを超える上記ポリペプチドと接触する場合に、上記ポリペプチドは、ＮＴＣＰ仲介の肝細胞への胆汁酸の輸送を阻害する、請求項９に記載の薬学組成物。
【請求項１１】
（ａ）対象に投与されたポリペプチドの血清濃度は、５００ｎｇ／ｍｌ以下である場合に、上記ポリペプチドが、対象におけるＮＴＣＰ仲介の胆汁酸摂取を増強する、および／または（ｂ）対象に投与されたポリペプチドの血清濃度は、５００ｎｇ／ｍｌを超える場合に、上記ポリペプチドが、対象におけるＮＴＣＰ仲介の胆汁酸摂取を阻害する、請求項９に記載の薬学組成物。
【請求項１２】
上記血清脂質は、コレステロール、トリグリセリド、ＬＤＬ−Ｃ、およびＨＤＬ−Ｃから選ばれる一つ以上の脂質を含む、請求項１に記載の薬学組成物。
【請求項１３】
上記ポリペプチドを含む薬学組成物は、治療的有効量の少なくとも一つの第２の薬剤の投与の前、同時、後に、対象に投与され；好ましくは、上記第２の薬剤は、抗高脂血症剤、抗高血糖剤、抗糖尿病剤、抗肥満剤および胆汁酸類似物から選ばれ；より好ましくは、上記第２の薬剤は、インスリン、メトホルミン、シタグリプチン、コレセベラム、グリピジド、シンバスタチン、アトルバスタチン、エゼチミブ、フェノフィブラート、ニコチン酸、オルリスタット、ロルカセリン、フェンテルミン、トピラマート、オベチコール酸およびウルソデオキシコール酸から選ばれる、請求項９に記載の薬学組成物。
【請求項１４】
上記ポリペプチドを含む薬学組成物は、腸管外、肺内、鼻腔内、病巣内、筋肉内、静脈内、動脈内、腹腔内および皮下投与から選ばれる少なくとも一つのモードで、対象に投与される、請求項１に記載の薬学組成物。
【請求項１５】
ＨＢＶから由来するアミノ酸配列を含むポリペプチドを含む薬学組成物であって、ここにおいてそれを必要とする対象に投与された場合に、薬学組成物は、対象におけるＮＴＣＰ仲介の胆汁酸摂取の両方向制御を可能にするようにポリペプチドの血清濃度を提供する；好ましくは、ポリペプチドは請求項５〜１１のいずれか１項に記載のように定義されるものである、薬学組成物。
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
ヒト対象におけるパーキンソン病を治療又は予防するための医薬の製造における、治療有効量の式Iの化合物：
【化１】
2019520344.tif 000001
（式中、R1は-NHC(O)シクロプロピルであり、かつR2は水素であり；
又はR1及びR2は、それらが結合している炭素原子とともに6員の芳香環を形成し、ここで、該環は非置換であり；
R3はクロロであり、かつR4はメチルであり、かつ環内の2位及び6位の置換基として存在する。）
の使用であって、
該式Iの化合物が、
シクロプロパンカルボン酸(5-{5-[N'-(2-クロロ-6-メチルベンゾイル)ヒドラジンカルボニル]-2-メチル-フェニルエチニル}-ピリジン-2-イル)アミド、又は
N’-(2-クロロ-6-メチルベンゾイル)-4-メチル-3-[2-(3-キノリル)エチニル]-ベンゾヒドラジド
から選択される、前記使用。
【請求項２】
前記式Iの化合物が、シクロプロパンカルボン酸(5-{5-[N'-(2-クロロ-6-メチルベンゾイル)ヒドラジンカルボニル]-2-メチル-フェニルエチニル}-ピリジン-2-イル)アミドである、請求項１記載の使用。
【請求項３】
前記式Iの化合物が、N’-(2-クロロ-6-メチルベンゾイル)-4-メチル-3-[2-(3-キノリル)エチニル]-ベンゾヒドラジドである、請求項１記載の使用。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
歯から歯石を除去する方法であって、
過酸化水素又はその前駆体を含む成分Ａを準備することと、
カタラーゼを含む成分Ｂを準備することと、
前記成分Ａ及び前記成分Ｂを前記歯に適用することによって酸素を発生させることと、
前記歯から前記歯石の少なくとも一部を除去することとを含み、
成分Ａ及び成分Ｂが、それぞれ独立に、液体又はゲルであり、
前記成分Ａ及び前記成分Ｂのうちの少なくとも１つが、２５℃で、剪断速度１／ｓにて、２６Ｐａ・ｓ未満の粘度を有する、方法。
【請求項２】
前記適用工程において、前記歯に成分Ａ及び成分Ｂを同時に適用する、請求項１に記載の方法。
【請求項３】
前記適用工程において、成分Ａ及び成分Ｂが前記歯の上に混合物を形成する、請求項１又は２に記載の方法。
【請求項４】
前記適用工程の前に、成分Ａ及び成分Ｂを混合して混合物を形成し、前記適用工程において、前記混合物を前記歯に適用する、請求項１又は２に記載の方法。
【請求項５】
前記適用工程において、成分Ａ及び成分Ｂの混合物を、前記除去工程の前に、約１時間未満の間、前記歯に適用する、請求項１〜４のいずれか一項に記載の方法。
【請求項６】
前記適用工程において、成分Ａ及び成分Ｂを、前記除去工程の前に、１時間未満の間、前記歯に適用する、請求項１〜５のいずれか一項に記載の方法。
【請求項７】
前記成分Ａが、約０．０３Ｍ〜約１２Ｍの過酸化水素を含む、請求項１〜６のいずれか一項に記載の方法。
【請求項８】
前記成分Ｂが、約３単位／ｍＬ超のカタラーゼを含む、請求項１〜７のいずれか一項に記載の方法。
【請求項９】
前記成分Ａ及び前記成分Ｂがそれぞれ、２５℃で、剪断速度１／ｓにて、２６Ｐａ・ｓ未満の粘度を有する、請求項１〜８のいずれか一項に記載の方法。
【請求項１０】
歯から歯石を除去するための部品キットであって、
過酸化水素又はその前駆体を含む成分Ａと、
カタラーゼを含む成分Ｂとを含み、
成分Ａ及び成分Ｂが、それぞれ独立に、液体又はゲルであり、
成分Ａ及び成分Ｂのうちの少なくとも１つが、２５℃で、剪断速度１／ｓにて、２６Ｐａ・ｓ未満の粘度を有する、キット。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
下記構造式A、
2019520343.tif 000001
（式中、Rは、下記式の置換基であり、
2019520343.tif 000002
式中、Nは、窒素であり、W、X、Y及びZの1つは、窒素(N)であってもよく、窒素でないときには、W、X、Y及びZは、CHであるか又はW、X、Y及びZの1つは、CR4であり、R4は、ヒドリド又は電子供与性置換基であり、かつ
Rbは、F又はHである）
の20’-ヒドロキシ-ビンカ誘導体又はその医薬的に許容可能な塩。
【請求項２】
W、X、Y及びZの1つが、窒素である、請求項１に記載の20’-ヒドロキシ-ビンカ誘導体又はその医薬的に許容可能な塩。
【請求項３】
Wが、窒素である、請求項２に記載の20’-ヒドロキシ-ビンカ誘導体又はその医薬的に許容可能な塩。
【請求項４】
Xが、窒素である、請求項２に記載の20’-ヒドロキシ-ビンカ誘導体又はその医薬的に許容可能な塩。
【請求項５】
Yが、窒素である、請求項２に記載の20’-ヒドロキシ-ビンカ誘導体又はその医薬的に許容可能な塩。
【請求項６】
Zが、窒素である、請求項２に記載の20’-ヒドロキシ-ビンカ誘導体又はその医薬的に許容可能な塩。
【請求項７】
Rが、以下の１つ以上の構造式を有する、請求項１に記載の20’-ヒドロキシ-ビンカ誘導体又はその医薬的に許容可能な塩。
2019520343.tif 000003
【請求項８】
R4が、ヒドリドであるか、又はC1-C4ヒドロカルビル、アミノ、モノC1-C4ヒドロカルビルアミノ、ジC1-C4ヒドロカルビルアミノ及びC1-C4ヒドロカルビルオキシ基から成る群より選択される、請求項７に記載の20’-ヒドロキシ-ビンカ誘導体又はその医薬的に許容可能な塩。
【請求項９】
Rbが、Hである、請求項１に記載の20’-ヒドロキシ-ビンカ誘導体又はその医薬的に許容可能な塩。
【請求項１０】
ビンブラスチンの誘導体である、請求項１に記載の20’-ヒドロキシ-ビンカ誘導体又はその医薬的に許容可能な塩。
【請求項１１】
下記構造式B、
2019520343.tif 000004
（式中、
Rは、下記式の置換基であり、
2019520343.tif 000005
式中、
Nは、窒素であり、
W、X、Y及びZの1つは、窒素(N)であってもよく、窒素でないときには、W、X、Y及びZは、CHであるか又はW、X、Y及びZの1つが、CR4であり、
R4は、ヒドリドであるか、又はC1-C4ヒドロカルビル、アミノ、モノC1-C4ヒドロカルビルアミノ、ジC1-C4ヒドロカルビルアミノ及びC1-C4ヒドロカルビルオキシ基の1つ以上から成る群より選択される）
の20’-置換ビンブラスチン、又はその医薬的に許容可能な塩。
【請求項１２】
R4が、アミノである、請求項11に記載の20’-置換ビンブラスチン又はその医薬的に許容可能な塩。
【請求項１３】
Rが、以下の1つ以上の構造式を有する、請求項11に記載の20’-置換ビンブラスチン又はその医薬的に許容可能な塩。
2019520343.tif 000006
【請求項１４】
生理学的に許容可能な担体に溶解又は分散した癌性細胞増殖抑制量の請求項１に記載の20’-ヒドロキシ-ビンカ誘導体又はその医薬的に許容可能な塩を含むことを特徴とする医薬組成物。
【請求項１５】
a) W、X、Y及びZの１つが、窒素であり、
b) R4が、アミノであり、かつ
c) Rbが、Hである、
請求項14に記載の医薬組成物。
【請求項１６】
癌性細胞の成長を抑制するための医薬の製造における、請求項１に記載の20’-ヒドロキシ-ビンカ誘導体又はその医薬的に許容可能な塩の使用であって、前記癌性細胞を、前記20’-ヒドロキシ-ビンカ誘導体又はその医薬的に許容可能な塩と接触させることを特徴とする使用。
【請求項１７】
前記癌性細胞を複数回接触させる、請求項16に記載の使用。
【請求項１８】
前記癌性細胞をインビトロで接触させる、請求項16に記載の使用。
【請求項１９】
前記接触させる癌性細胞が、白血病細胞である、請求項16に記載の使用。
【請求項２０】
前記接触させる癌性細胞が、癌細胞である、請求項16に記載の使用。
【請求項２１】
前記接触させる癌細胞が、ビンブラスチンに耐性である、請求項20に記載の使用。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
集積デバイスを備える領域と、
前記集積デバイスを備える前記領域に結合された熱放散デバイスであって、前記領域から熱を放散させるように構成された熱放散デバイスと
を備えるデバイスであって、前記熱放散デバイスは、
流体と、
前記流体を蒸発させるように構成された蒸発器と、
前記流体を凝縮させるように構成された凝縮器であって、
第１の複数のチャネルを備える第１の凝縮器部分であって、前記第１の複数のチャネルのうちの各チャネルが第１の幅を有する、第１の凝縮器部分と、
第２の複数のチャネルを備える第２の凝縮器部分であって、前記第２の複数のチャネルのうちの各チャネルが、前記第１の幅よりも大きい第２の幅を有する、第２の凝縮器部分と
を備える凝縮器と、
前記蒸発器および前記凝縮器に結合された内壁であって、前記蒸発器から出る流体が前記凝縮器から出る流体と混合するのを防止する分離壁であり、前記第２の凝縮器部分よりも前記第１の凝縮器部分により近い内壁と、
前記流体、前記蒸発器、前記凝縮器、および前記内壁を密封する外殻と、
蒸発後流体を前記蒸発器から前記凝縮器に流すように構成された蒸発部であって、少なくとも部分的に前記内壁によって画定される蒸発部と、
前記蒸発部内の複数の蒸発部壁であって、少なくとも１つの蒸発部壁が非直交部分を備える複数の蒸発部壁と、
凝縮後流体を前記凝縮器から前記蒸発器に流すように構成された収集部であって、少なくとも部分的に前記内壁によって画定される収集部と
を備える、デバイス。
【請求項２】
前記収集部は、少なくとも１つの非直交角度付き部分を備え、前記少なくとも１つの非直交角度付き部分は、重力の助けによって、前記凝縮後流体を前記蒸発器の方へ向けるように構成される、請求項１に記載のデバイス。
【請求項３】
前記領域は、前記集積デバイスおよび前記熱放散デバイスに結合された熱界面材料（ＴＩＭ）をさらに備える、請求項１に記載のデバイス。
【請求項４】
前記熱界面材料（ＴＩＭ）は、前記蒸発器の上方に位置する前記外殻の部分に結合される、請求項３に記載のデバイス。
【請求項５】
前記蒸発器は、前記蒸発器における前記流体の圧力降下が約４９０Ｐａ（０．００４９バール）以下になるように前記流体に前記蒸発器を通過させるように構成された複数のチャネルを備える、請求項１に記載のデバイス。
【請求項６】
前記凝縮器は、それぞれに異なる幅を有する複数のチャネルを備える、請求項１に記載のデバイス。
【請求項７】
前記熱放散デバイスは、前記蒸発部および前記収集部内に複数の障壁、複数のリブ、および複数の壁をさらに備える、請求項１に記載のデバイス。
【請求項８】
前記内壁は二重壁である、請求項１に記載のデバイス。
【請求項９】
前記内壁は非直交部分を含む、請求項１に記載のデバイス。
【請求項１０】
前記集積デバイスは、音楽プレーヤ、ビデオプレーヤ、エンターテイメントユニット、ナビゲーションデバイス、通信デバイス、モバイルデバイス、モバイルフォン、スマートフォン、携帯情報端末、固定ロケーション端末、タブレットコンピュータ、コンピュータ、装着型デバイス、モノのインターネット（ＩｏＴ）デバイス、ラップトップコンピュータ、サーバ、および自動車車両の中のデバイスからなるグループの中から選択されたデバイスの中に組み込まれる、請求項１に記載のデバイス。
【手続補正書】
【提出日】令和2年3月2日(2020.3.2)
【手続補正１】
【補正対象書類名】明細書
【補正対象項目名】０００７
【補正方法】変更
【補正の内容】
【０００７】
関係データベースは、データセットＪｏｉｎ（Ｉｎｔｅｒｓｅｃｔｉｏｎ及びＵｎｉｏｎ）理論を使用して、エンティティ間の関係を推定する。関係は、異なるテーブル間の論理的な接続である。関係は、これらのテーブル間の相互作用に基づいて確立される。任意の複雑性の関係は、単純な集合原理を使用して「推定」され、標準のクエリ言語を使用して検索される。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１３／０１９１４１６号明細書
（特許文献２）  米国特許出願公開第２００６／０２８２４５５号明細書
（特許文献３）  米国特許出願公開第２０１２／００８９７９１号明細書
【手続補正書】
【提出日】令和2年6月5日(2020.6.5)
【手続補正１】
【補正対象書類名】特許請求の範囲
【補正対象項目名】請求項３
【補正方法】変更
【補正の内容】
【請求項３】
前記結合手段（６０，６１）が、前記コンタクト本体部（４０）に形成された溝、および前記アダプタ部材（３０）に形成されかつ該溝に対応して該溝に係合する突起部からなるか、又はこの逆であることを特徴とする請求項１又は２に記載の電気的アングルコネクタ（１）。
【手続補正２】
【補正対象書類名】明細書
【補正対象項目名】０００５
【補正方法】変更
【補正の内容】
【０００５】
したがって、本発明によれば、それぞれ対応する結合部分を介して互いに結合可能な２つの部分からなるハウジングを有する電気的アングルコネクタが提案される。取付側から結合部分に向かって第１の方向へ延在する第１のハウジング部分と、結合部分から差し込み側部分に向かって前記第１の方向に対して横切る方向を向いた第２の方向へ延在する第２のハウジング部分とで構成されたハウジングは、更に、前記第１のハウジング部分に対して前記第２の方向に差し込んで取り付けるためのアダプタ部材と、少なくとも１つのコンタクト要素を受け入れるためのコンタクト本体部とで構成されており、前記アダプタ部材が、前記第１のハウジング部分へ完全に差し込まれて取り付けられた状態において、少なくとも部分的に前記第２のハウジング部分内へ延在しており、前記コンタクト本体部が、結合手段を介して前記アダプタ部材に取り外し可能に保持されるとともに、前記結合手段によって前記第２の方向への軸方向の変位に抗して固定されている。これにより、コンタクト本体部へのケーブルの容易な取付が保証され、このコンタクト本体部がハウジングへ単独で差し込まれることができるため、このとき、取付箇所に容易にアクセス可能である。
【手続補正３】
【補正対象書類名】明細書
【補正対象項目名】０００７
【補正方法】変更
【補正の内容】
【０００７】
このとき、アダプタ部材が、少なくとも部分的にＣ字状の輪郭部を有しており、該輪郭部へコンタクト本体部を受け入れることができれば有利である。これにより、アダプタ部材の翼形の両アームがコンタクト本体部の周りで湾曲し、これにより、コンタクト本体部が、その長手軸線に対して径方向に、その位置において最終取付まで保持される。
【手続補正４】
【補正対象書類名】図面
【補正対象項目名】図１３
【補正方法】変更
【補正の内容】
【図１３】
2019520685.tif 000001
【手続補正５】
【補正対象書類名】図面
【補正対象項目名】図１４
【補正方法】変更
【補正の内容】
【図１４】
2019520685.tif 000002
【手続補正６】
【補正対象書類名】図面
【補正対象項目名】図１５
【補正方法】変更
【補正の内容】
【図１５】
2019520685.tif 000003
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
固体照明ランプであって、
ガラス管と、
ガラスバルブであって、前記ガラス管が前記ガラスバルブの内側に配置され、前記ガラスバルブと接合されている、
前記ガラス管の内側に少なくとも部分的に配置されている内部部材と、
前記ガラス管上に配置されて、前記ガラス管の内側表面を完全に覆い、前記内部部材を少なくとも部分的に覆い隠すように適合されている光学手段と、
を備える、固体照明ランプ。
【請求項２】
前記光学手段が、前記内部部材の視認性を変更するために、前記光学手段に当たる光を方向転換させるように適合されている、請求項１に記載の固体照明ランプ。
【請求項３】
前記光学手段が、光学フォイルである、請求項１又は２の何れか一項に記載の固体照明ランプ。
【請求項４】
前記光学手段が、プリズムフォイルである、請求項３に記載の固体照明ランプ。
【請求項５】
前記光学手段が、輝度向上フォイルである、請求項３又は４に記載の固体照明ランプ。
【請求項６】
前記光学手段が、プラスチック光学フォイルである、請求項３、４、又は５の何れか一項に記載の固体照明ランプ。
【請求項７】
前記光学手段が、前記ガラス管上の表面構造体である、請求項１又は２の何れか一項に記載の固体照明ランプ。
【請求項８】
前記内部部材が、
円筒状ヒートスプレッダと、
光を放出するように適合された固体照明ユニットと含み、前記固体ユニットが、前記ヒートスプレッダと熱接触している、
請求項１乃至７の何れか一項に記載の固体照明ランプ。
【請求項９】
前記内部部材が、前記円筒状ヒートスプレッダの内側に少なくとも部分的に配置され、かつ前記固体照明ユニットに電気的に接続されている、ドライバを更に含む、請求項８に記載の固体照明ランプ。
【請求項１０】
前記円筒状ヒートスプレッダが、前記ガラス管の内側に配置されている第１区画と、前記ガラス管の外側に延在している第２区間とを有し、前記固体照明ランプの端部キャップが、前記円筒状ヒートスプレッダの前記第２区画に取り付けられている、請求項８又は９に記載の固体照明ランプ。
【請求項１１】
前記端部キャップが、エジソンねじ込みソケットに接続可能である、請求項１０に記載の固体照明ランプ。
【請求項１２】
前記ガラス管が、前記固体照明ランプの長手方向軸に沿って見られた場合に、前記端部キャップから離れる方向に、前記円筒状ヒートスプレッダの前記第１区画の頂部を越えて延在している、請求項１０に記載の固体照明ランプ。
【手続補正書】
【提出日】令和2年6月4日(2020.6.4)
【手続補正１】
【補正対象書類名】明細書
【補正対象項目名】０１３８
【補正方法】変更
【補正の内容】
【０１３８】
このようにして構築したシート材の０．２／−４輝度は、１６３ｃｄ／ｌｘ／ｍ２であった。
なお、以上の各実施形態に加えて以下の態様について付記する。
（付記１）
少なくとも３０℃のＴｇを有し、（メタ）アクリルポリマー及び以下の式を有する重合単位を含むポリビニルアセタールポリマーを含む本体層と、
【化１】
2019520607.tif 000001
［式中、Ｒ１は水素又はＣ１〜Ｃ７のアルキル基である］
前記本体層に近接し、かつ光学要素を含む、第２の層と
を含む、導光物品。
（付記２）
前記本体層が６０℃以下のＴｇを有する、付記１に記載の導光物品。
（付記３）
前記本体層及び／又は第２の層が、顔料、着色剤、装飾用添加剤、ＵＶ吸収剤、又はこれらの組み合わせを含む、付記１又は２に記載の導光物品。
（付記４）
前記本体層が、２５℃及び１ヘルツで少なくとも１ＭＰａの引張弾性率を有する、付記１〜３のいずれか一項に記載の導光物品。
（付記５）
前記本体層が、０℃未満のＴｇを有する単官能性アルキル（メタ）アクリレートモノマーの重合単位を、少なくとも、２０、２５、３０、３５、４０、５０重量％含む、付記１〜４のいずれか一項に記載の導光物品。
（付記６）
前記本体層が、０℃未満のＴｇを有する単官能性アルキル（メタ）アクリレートモノマーの重合単位を、８５重量％以下含む、付記１〜５のいずれか一項に記載の導光物品。
（付記７）
前記単官能性アルキル（メタ）アクリレートモノマーの重合単位が、−１０℃、−２０℃、−３０℃、−４０℃、又は−５０℃未満のＴｇを有する、付記５又は６に記載の導光物品。
（付記８）
前記本体層が、８個の炭素原子を含むアルキル基を有するアルキル（メタ）アクリレートモノマーの重合単位を含む、付記１〜７のいずれか一項に記載の導光物品。
（付記９）
前記本体層が、ポリビニルアセタールポリマーを、５〜３０重量％含む、付記１〜８のいずれか一項に記載の導光物品。
（付記１０）
前記本体層が光開始剤を含む、付記１〜９のいずれか一項に記載の導光物品。
（付記１１）
前記本体層が、前記導光物品の最外面を形成する、付記１〜１０のいずれか一項に記載の導光物品。
（付記１２）
前記光学要素が、ビーズ又は微細構造化要素を含む、付記１〜１１のいずれか一項に記載の導光物品。
（付記１３）
前記微細構造化要素が、縦方向に延びるプリズム又はコーナーキューブ要素である、付記１２に記載の導光物品。
（付記１４）
前記コーナーキューブ要素が、切頭型キューブ又はフルキューブを含む、付記１３に記載の導光物品。
（付記１５）
前記微細構造化要素が、重合性樹脂の反応生成物を含む、付記１２〜１４のいずれか一項に記載の導光物品。
（付記１６）
前記微細構造化要素が、固化した熱可塑性樹脂を含む、付記１２〜１５のいずれか一項に記載の導光物品。
（付記１７）
前記本体層が、前記第２の層と一体に連結されている、付記１〜１６のいずれか一項に記載の導光物品。
（付記１８）
前記本体層が、前記第２の層へ熱的に結合されている、付記１７に記載の導光物品。
（付記１９）
前記本体層が、前記第２の層へ接着結合されている、付記１７に記載の導光物品。
（付記２０）
前記本体層が、前記第２の層に近接しているが、１つ以上の追加の層によって前記第２の層から離れて間隔があいている、付記１〜１６のいずれか一項に記載の導光物品。
（付記２１）
前記追加の層が、接着促進層、インク、構造支持層である、付記２０に記載の導光物品。
（付記２２）
前記第２の層又は本体層上に接着促進表面処理を含み、接着促進表面処理が、プライマー層、又はこれらの組み合わせから選択される、付記１〜２１のいずれか一項に記載の導光物品。
（付記２３）
ロールの両端部によって制限された幅を有するシート材のロールである、付記１〜２２のいずれか一項に記載の導光物品。
（付記２４）
前記光学要素に隣接する又はその上の鏡面反射性コーティングを更に含む、付記１〜２３のいずれか一項に記載の導光物品。
（付記２５）
前記光学要素の一部に結合されたシールフィルムを更に含む、付記１〜２４のいずれか一項に記載の導光物品。
（付記２６）
第１の領域及び第２の領域を含む接着層を更に含み、前記第２の領域が、前記第１の領域を囲み、かつ前記微細構造化要素に接触しており、前記第１の領域及び前記第２の領域が、前記接着層と前記微細構造化要素の間に低屈折率層を形成するのに十分異なる特性を有する、付記１〜２５のいずれか一項に記載の導光物品。
（付記２７）
前記本体層とは反対側の、前記第２の層上に接着層を更に含む、付記１〜２６のいずれか一項に記載の導光物品。
（付記２８）
前記接着層が剥離ライナーで覆われ、前記剥離ライナーが、前記導光物品の最外面を形成している、付記２７に記載の導光物品。
（付記２９）
再帰反射性シート材である、付記１〜２８のいずれか一項に記載の導光物品。
【手続補正２】
【補正対象書類名】特許請求の範囲
【補正対象項目名】全文
【補正方法】変更
【補正の内容】
【特許請求の範囲】
【請求項１】
少なくとも３０℃のＴｇを有し、（メタ）アクリルポリマー及び以下の式を有する重合単位を含むポリビニルアセタールポリマーを含む本体層と、
【化１】
2019520607.tif 000002
［式中、Ｒ１は水素又はＣ１〜Ｃ７のアルキル基である］
前記本体層に近接し、かつ光学要素を含む、第２の層と
を含む、導光物品。
【請求項２】
前記本体層が６０℃以下のＴｇを有する、請求項１に記載の導光物品。
【請求項３】
前記本体層が、２５℃及び１ヘルツで少なくとも１ＭＰａの引張弾性率を有する、請求項１又は２に記載の導光物品。
【請求項４】
前記本体層が、０℃未満のＴｇを有する単官能性アルキル（メタ）アクリレートモノマーの重合単位を、８５重量％以下含む、請求項１〜３のいずれか一項に記載の導光物品。
【請求項５】
前記単官能性アルキル（メタ）アクリレートモノマーの重合単位が、−１０℃、−２０℃、−３０℃、−４０℃、又は−５０℃未満のＴｇを有する、請求項４に記載の導光物品。
【請求項６】
前記光学要素が、ビーズ又は微細構造化要素を含む、請求項１〜５のいずれか一項に記載の導光物品。
【請求項７】
前記本体層が、前記第２の層と一体に連結されている、請求項１〜６のいずれか一項に記載の導光物品。
【請求項８】
前記光学要素に隣接する又はその上の鏡面反射性コーティングを更に含む、請求項１〜７のいずれか一項に記載の導光物品。
【請求項９】
前記光学要素の一部に結合されたシールフィルムを更に含む、請求項１〜８のいずれか一項に記載の導光物品。
【請求項１０】
再帰反射性シート材である、請求項１〜９のいずれか一項に記載の導光物品。